(57)【特許請求の範囲】
【請求項１】
上端部に雄実を下端部に雌実を有し、横貼り施工で留付金具によって縦胴縁を介して柱に取り付けられる外装材が、縦接続部において左右の端部を平面状で互いに突きつけられて接合されており、
前記外装材の縦接続部の内装側にはハットジョイナーが配され、
該ジョイナーは前面の左右に防水材を有し、
該防水材の形状は断面視略四角形であり、その前面が面接触状態で前記外装材の裏面に当接されており、
前記外装材の横接続部の前記防水材に当たる位置にパッキンが配され、
さらに、該パッキンは、外装材の下端部に設けられた雌実と上端部に設けられた雄実のそれぞれの断面形状に合わせた、ほぼ三角形状の断面形状を有しかつ、
該パッキンの幅は前記防水材の幅と同等の幅を有し、
該パッキンは、上下の外装材の間に、一体となって挟装され、前記防水材に面接触で当接されていることを特徴とする外装材の縦目地構造。
【発明の詳細な説明】
【０００１】
【発明の属する技術分野】
本発明は、コーキング材を使用することなく、建築物内部に雨水などの侵入を防止することができる外装材の縦目地構造に関する。
【０００２】
【従来の技術】
図１は、従来の外装材の縦目地構造を示す斜視図であり、上半分は出隅材4-1および外壁パネル4-2を取り付ける前の状態である。図２は、図１のＡ部拡大図である。
【０００３】
図１に示すように、建築物の外装は、一般に、柱１の外装側に防水紙２、縦胴縁３が順に取り付けられ、出隅材4-1および外壁パネル4-2を留付金具5-1、5-2によって縦胴縁３または縦胴縁３を介して柱１に取り付けて構成する。更に、図示しないが、出隅材4-1および外壁パネル4-2の上端部に設けられた横接続部と対応する形状の横接続部を下端部に有する出隅材4-1および外壁パネル4-2を、施工した出隅材4-1および外壁パネル4-2の上に接続して外壁を完成する。
【０００４】
なお、横接続部とは、外装パネルをその長辺方向が地面と平行となるように貼り付ける、いわゆる横貼り施工の場合には外装パネルの長辺方向の接続部を意味し、外装パネルをその長辺方向が地面と垂直となるように貼り付ける、いわゆる縦貼り施工の場合には外装パネルの短辺方向の接続部を意味する。また、縦接続部とは、横貼り施工の場合には外装パネルの短辺方向の接続部を意味し、縦貼り施工の場合には外装パネルの長辺方向の接続部を意味する。
【０００５】
通常、出隅材4-1および外壁パネル4-2の上端部に設けられた横接続部には、止水材９が取り付けられている。この止水材９としては、たとえば樹脂材を膨出加工したものが用いられる。これは、横接続部の僅かな隙間から水が侵入するのを防止するためのものである。
【０００６】
出隅材4-1と外壁パネル4-2との縦接続部には、コーキング材１０が充填され、これにより、縦接続部から建築物内部へ水が侵入するのを防止している。このコーキング材には、シリコン等の樹脂を施工現場で充填、乾燥させてなる湿式シーリングと、予め成形した防水材をはめ込んでなる乾式コーキングが知られている。
【０００７】
湿式シーリングの場合には、図２に示すように、例えば、出隅材4-1と外壁パネル4-2との縦接続部の内装側にハットジョイナー６が取り付けられる。ハットジョイナー６のハット形の突起部は、コーキング材１０を充填するための空間（幅、深さ）を確保するためのものである。コーキング材１０は、このハットジョイナー６の突起部の表面と、出隅材4-1および外壁パネル4-2の縦接続部とからなる空間に塗布、充填され、出隅材4-1と外壁パネル4-2とを接着し、水が屋内に侵入するのを防止する。
【０００８】
しかし、このようなコーキング材を必須とする従来の外装材の縦目地構造では、下記の(1)〜(3)に示す問題が発生する。
(1)露出したコーキング材が経年劣化し、耐久性、防水性などの性能が劣化するとともに、変色等により外観が悪化するため、数年ごとに劣化したコーキング材を補修、更新する必要があること。
(2)コーキング材が必須なので、材料コストが上昇すること。
(3)施工時間（湿式の場合は充填および乾燥に要する時間、乾式の場合ははめ込み作業に要する時間）がかかること。
【０００９】
特開2000-345682号公報には、出隅材を構成するコーナー材の両側の側縁に対し、外装材が合じゃくりで接合されたことを特徴とする外装材の出隅材構造の発明が開示されている。この発明では、出隅材と外壁パネルとの接合部にコーキング材を使用しないため、上記の(1)〜(3)の問題を一応解決できるが、新たに下記の(4)〜(6)に示す問題が生じる。
(4)出隅材の製作費が上昇すること。
(5)施工現場での合じゃくり加工が必須なので、加工費が上昇すること。
(6)合じゃくり加工に時間がかかること。
【００１０】
【発明が解決しようとする課題】
本発明は、上記の問題を解決するためになされたものであり、コーキング材を使用することなく、防水性に優れる外装材の縦目地構造を提供することを目的とする。
【００１１】
【課題を解決するための手段】
本発明は、「上端部に雄実を下端部に雌実を有し、横貼り施工で留付金具によって縦胴縁を介して柱に取り付けられる外装材が、縦接続部において左右の端部を平面状で互いに突きつけられて接合されており、
前記外装材の縦接続部の内装側にはハットジョイナーが配され、
該ジョイナーは前面の左右に防水材を有し、
該防水材の形状は断面視略四角形であり、その前面が面接触状態で前記外装材の裏面に当接されており、
前記外装材の横接続部の前記防水材に当たる位置にパッキンが配され、
さらに、該パッキンは、外装材の下端部に設けられた雌実と上端部に設けられた雄実のそれぞれの断面形状に合わせた、ほぼ三角形状の断面形状を有しかつ、
該パッキンの幅は前記防水材の幅と同等の幅を有し、
該パッキンは、上下の外装材の間に、一体となって挟装され、前記防水材に面接触で当接されていることを特徴とする外装材の縦目地構造」を要旨とする。なお、外装材とは、外壁パネル、出隅材および入隅材を意味する。
【００１２】
【発明の実施の形態】
図３は、本発明の外装材の縦目地構造の一例を示す斜視図であり、図１と同様に、上半分は出隅材4-1および外壁パネル4-2を取り付ける前の状態である。図４は、図３のＢ部拡大図である。図５は、本発明の外装材の縦目地構造の一例を示す上面図であり、図６は、図５のＣ部拡大図である。図７は、図６のＡ−Ａ断面図である。
【００１３】
図３および図４に示すように、本発明の外装材の縦目地構造は、外装材、例えば、出隅材4-1、外壁パネル4-2の縦接続部の内装側に、防水材７が取り付けられたジョイナー6-1を有する。出隅材4-1、外壁パネル4-2の縦接続部は、合じゃくり加工を施してもよいが、加工費低減の観点および施工現場での作業性の観点からは、図に示すような、いわゆる突きつけであるのが望ましい。
【００１４】
ジョイナー6-1の材質としては、鋼板製のものや塩化ビニールなどの樹脂製のものを使用する。また、ジョイナー6-1に取り付ける防水材７としては、たとえば、ＥＰＤＭスポンジ、塩化ビニール系などの弾性発泡樹脂材を用いればよい。また、ブチルゴム等を用いてもよい。
【００１５】
図５および図６に示すように、たとえば、出隅材4-1と外壁パネル4-2との縦接続部の僅かな隙間から侵入した水は、出隅材4-1、外壁パネル4-2の内層側の面と、ジョイナー6-1と防水材７とで囲まれた空間内に留まり、この空間内を流下して屋外へ排出される。
【００１６】
このとき、出隅材4-1と外壁パネル4-2との縦接続部と上下の外装材の横接続部とが交差する位置で、侵入した水の一部が横接続部に沿って横流れする場合がある。この横流れを防止するためには、図３〜図７に示すように、出隅材4-1、外壁パネル4-2の横接続部の前記防水材７に当たる位置にパッキン８を配する。
【００１７】
パッキン８としては、ＥＰＤＭに代表されるエチレンプロピレンゴム系や塩化ビニール系の発泡樹脂材などの弾性樹脂材を用いればよい。また、パッキン８の形状は、外装材の上端および下端に設けられた横接続部の形状に適合するようなものであればよい。たとえば、図７に例示するように、パッキン８は、外装材（図７では出隅材4-1）の下端部に設けられた雌実形状と上端部に設けられた雄実形状のそれぞれの断面形状に合わせて、ほぼ三角形状の断面を有するものであればよい。パッキン８は、ジョイナー6-1に取り付けられた防水材７の幅と同等の幅のものを使用するのが望ましいが、防水材７の幅より小さいものやこれより大きいものであっても、防水材７に当たるような大きさのものであればよい。また、パッキン８の取り付け位置は、防水材７に当たる位置であればよく、防水性を確保できる範囲内で多少のズレは許容できる。
【００１８】
以上の説明では、出隅材と外壁パネルとの接続部の構造について述べたが、本発明の外装材の縦目地構造は、外壁パネル同士の接続部、入隅材と外壁パネルとの接続部にも適応できる。
【００１９】
図８は、入隅における縦目地構造の例を示す上面図であり、(a)は入隅材と外装パネルからなる入隅の例を示す図であり、(b)〜（d）は２枚の外装パネルからなる入隅の例を示す図である。なお、これらの図では、縦胴縁、防水紙、柱、および留付金具の記載を省略した。
【００２０】
図８(a)に示すように、入隅材4-3および外壁パネル4-2からなる入隅の場合には、図３〜図７に示すジョイナー6-1、さらに必要に応じてパッキン８を使用することにより、防水性に優れる入隅の縦目地構造を完成することができる。図８(b)〜(d)に示すように、２枚の外壁パネル4-2からなる入隅の場合には、図３〜図７に示すものとは異なる形状のジョイナーを使用する必要がある。
【００２１】
例えば、図８(b)に示すように、一方の外壁パネル4-1の端部を他方の外壁パネル4-2の端部表面に接続して入隅を施工する場合には、両端部付近に防水材７を取り付けたＬ字状断面を有するジョイナー6-2を用いて、防水性に優れる入隅の縦目地構造を完成することができる。この場合にも、パッキン８を使用すれば、水の横流れを防止できるのは、図３〜図７に示した例と同様である。
【００２２】
図８(c)および(d)に示すように、一方の外壁パネル4-1の端部が他方の外壁パネル4-2の端部と直接接続することなく入隅を施工する場合には、両端部付近に防水材７を取り付けたＭ字状断面を有するジョイナー6-3、6-4を用いる。この場合にも、図３〜図７に示すようなパッキン８を使用すれば、水の横流れを防止できる。
【００２３】
【発明の効果】
本発明の外装材の縦目地構造によれば、コーキング材を使用しないので、コーキング材の変色による外観の悪化、材料コストの上昇、施工時間の長期化などのコーキング材に起因する問題が発生することはない。また、外装材の縦接続部の僅かな隙間から侵入した水は、ジョイナーに沿って流下して屋外に排出される。また、パッキンを使用するので、横接続部に横流れすることもない。本発明の外装材の縦目地構造は、簡易で、且つ防水性に優れるので、その有用性は極めて高い。
【図面の簡単な説明】
【図１】従来の外装材の縦目地構造を示す斜視図である。
【図２】図１のＡ部拡大図である。
【図３】本発明の外装材の縦目地構造の一例を示す斜視図である。
【図４】図３のＢ部拡大図である。
【図５】本発明の外装材の縦目地構造の一例を示す上面図である。
【図６】図５のＣ部拡大図である。
【図７】図６のＡ−Ａ断面図である。
【図８】入隅における縦目地構造の例を示す上面図であり、(a)は入隅材と外装パネルからなる入隅の例を示す図であり、(b)〜（d）は２枚の外装パネルからなる入隅の例を示す図である。
【符号の説明】
１．柱、２．防水紙、３．縦胴縁、
4-1．出隅材、4-2．外壁パネル、4-3．入隅材、
5-1、5-2．留付金具、６．ハットジョイナー、
6-1、6-2、6-3、6-4．ジョイナー、７．防水材、８．パッキン、
９．止水材、１０．コーキング材
【図１】
0004191429.tif 000002
【図２】
0004191429.tif 000003
【図３】
0004191429.tif 000004
【図４】
0004191429.tif 000005
【図５】
0004191429.tif 000006
【図６】
0004191429.tif 000007
【図７】
0004191429.tif 000008
【図８】
0004191429.tif 000009